(57)【要約】【課題】無線ＬＡＮの接続設定が容易な接続設定システムを提供する。【解決手段】記憶部２２は、ユーザが装置を識別するための文字列である装置識別情報を含む予備ネットワーク識別子２２１を予め記憶する。接続要求送信処理部２０１は、予備ネットワーク識別子２２１を含む接続要求信号を送信させる。記憶部１２は、無線ネットワークに接続される装置の一覧である通信装置リスト１２２を記憶する。リスト処理部１０３は、接続要求信号に含まれる予備ネットワーク識別２２１と一致するネットワーク識別子が通信装置リスト１２２にない場合、受信した接続要求信号に含まれる予備ネットワーク識別子２２１を加えた通信装置リスト１２２を、表示装置３に表示させる。接続許可送信処理部１０５は、通信装置リスト１２２から予備ネットワーク識別子２２１が指定されたことに応じて、予備ネットワーク識別子２２１を含む接続許可信号を通信装置２に送信する。【選択図】図１
2012199653.tif 000002
【特許請求の範囲】
【請求項１】
無線通信により、中継装置とデータを送受信する第１無線通信部、
前記中継装置により構成される無線ネットワークに接続される装置を識別するための文字列である装置識別情報を含む予備ネットワーク識別子を予め記憶する第１記憶部、
前記予備ネットワーク識別子を含む接続要求信号を、前記第１無線通信部に送信させる接続要求送信処理部を備える通信装置と、
無線通信により、前記通信装置とデータを送受信する第２無線通信部、
前記無線ネットワークに接続される装置が有する、前記無線ネットワークを識別するネットワーク識別子の一覧である通信装置リストを記憶する第２記憶部、
ユーザ操作を受け付ける操作部、
前記第２無線通信部が、前記通信装置から前記接続要求信号を受信した場合、前記接続要求信号に含まれる前記予備ネットワーク識別子と一致する前記ネットワーク識別子が、前記通信装置リストに存在するか否かを判定する識別子判定処理部、
前記識別子判定処理部が、前記接続要求信号に含まれる前記予備ネットワーク識別と一致する前記ネットワーク識別子が前記通信装置リストに存在しないと判定する場合、前記受信した接続要求信号に含まれる前記予備ネットワーク識別子を加えた前記通信装置リストを、表示装置に表示させるリスト処理部、
前記表示装置に表示された前記通信装置リストから、前記操作部が受け付けたユーザ操作に基づいて選択された前記予備ネットワーク識別子を含む接続許可信号を、前記通信装置に送信する接続許可送信処理部を備える中継装置と
を備えることを特徴とする接続設定システム。
【請求項２】
前記通信装置は、
合図信号を出力するインジゲータ部、
前記第１無線通信部が、前記予備ネットワーク識別子を含む接続許可信号を、前記中継装置から受信した場合、前記インジゲータ部に合図信号を出力させる識別子確認処理部、
前記第１無線通信部が、前記ネットワーク識別子を前記中継装置から受信した場合、前記第１記憶部に記憶される前記予備ネットワーク識別子を、前記ネットワーク識別子に書き換える接続情報処理部を更に備え、
前記中継装置は、
前記インジゲータ部の合図信号が確認された旨のユーザ操作を前記操作部が受け付けた場合、前記ネットワーク識別子を前記通信装置に送信する接続情報送信処理部を更に備えることを特徴とする請求項１に記載の接続設定システム。
【請求項３】
前記装置識別情報は、前記通信装置のメーカ名、メーカコード、製品名、型番の内、少なくとも１つを含むことを特徴とする請求項１又は２に記載の接続設定システム。
【請求項４】
無線通信により、中継装置とデータを送受信する無線通信部と、
前記中継装置により構成される無線ネットワークに接続される装置を識別するための文字列である装置識別情報を含む予備ネットワーク識別子を予め記憶する記憶部と、
前記予備ネットワーク識別子を含む接続要求信号を、前記無線通信部に送信させる接続要求送信処理部と、
を備えることを特徴とする通信装置。
【請求項５】
合図信号を出力するインジゲータ部と、
前記無線通信部が、前記予備ネットワーク識別子を含む接続許可信号を、前記中継装置から受信した場合、前記インジゲータ部に合図信号を出力させる識別子確認処理部と、
前記無線通信部が、前記ネットワーク識別子を前記中継装置から受信した場合、前記記憶部に記憶される前記予備ネットワーク識別子を、前記ネットワーク識別子に書き換える接続情報処理部と
を更に備えることを特徴とする請求項４に記載の通信装置。
【請求項６】
前記装置識別情報は、前記通信装置のメーカ名、メーカコード、製品名、型番の内、少なくとも１つを含むことを特徴とする請求項４又は５に記載の通信装置。
【請求項７】
無線通信により、通信装置とデータを送受信する無線通信部、
前記無線ネットワークに接続される装置が有する、前記無線ネットワークを識別するネットワーク識別子の一覧である通信装置リストを記憶する記憶部、
ユーザ操作を受け付ける操作部、
前記無線通信部が、前記通信装置から接続要求信号を受信した場合、前記接続要求信号に含まれる前記予備ネットワーク識別子と一致する前記ネットワーク識別子が、前記通信装置リストに存在するか否かを判定する識別子判定処理部、
前記識別子判定処理部が、前記接続要求信号に含まれる前記予備ネットワーク識別と一致する前記ネットワーク識別子が前記通信装置リストにないと判定する場合、前記受信した接続要求信号に含まれる前記予備ネットワーク識別子を加えた前記通信装置リストを、表示装置に表示させるリスト処理部、
前記表示装置に表示された前記通信装置リストから、前記操作部が受け付けたユーザ操作に基づいて選択された前記予備ネットワーク識別子を含む接続許可信号を、前記通信装置に送信する接続許可送信処理部と
を備えることを特徴とする中継装置。
【請求項８】
前記インジゲータ部の合図信号が確認された旨のユーザ操作を前記操作部が受け付けた場合、前記ネットワーク識別子を前記通信装置に送信する接続情報送信処理部
を更に備えることを特徴とする請求項７に記載の中継装置。
【請求項９】
通信装置が、
中継装置により構成される無線ネットワークに接続される装置を識別するための文字列である装置識別情報を含む予備ネットワーク識別子を予め記憶するステップと、
前記予備ネットワーク識別子を含む接続要求信号を送信するステップと、
中継装置が、
前記無線ネットワークに接続される装置が有する、前記無線ネットワークを識別するネットワーク識別子の一覧である通信装置リストを記憶するステップと、
前記通信装置から前記接続要求信号を受信した場合、前記接続要求信号に含まれる前記予備ネットワーク識別子と一致する前記ネットワーク識別子が、前記通信装置リストに存在するか否かを判定するステップと、
前記接続要求信号に含まれる前記予備ネットワーク識別と一致する前記ネットワーク識別子が前記通信装置リストに存在しないと判定する場合、前記受信した接続要求信号に含まれる前記予備ネットワーク識別子を加えた前記通信装置リストを、表示装置に表示させるステップと、
前記表示装置に表示された前記通信装置リストから、ユーザ操作によって選択された前記予備ネットワーク識別子を含む接続許可信号を、前記通信装置に送信するステップと
を含むことを特徴とする接続設定方法。
【請求項１０】
前記通信装置が、
前記予備ネットワーク識別子を含む接続許可信号を、前記中継装置から受信した場合、インジゲータ部に合図信号を出力させるステップと、
前記ネットワーク識別子を前記中継装置から受信した場合、前記予め記憶された前記予備ネットワーク識別子を、前記ネットワーク識別子に書き換えるステップと、
前記中継装置が、
前記インジゲータ部の合図信号が確認された旨のユーザ操作を受け付けた場合、前記ネットワーク識別子を前記通信装置に送信するステップと
を更に含むことを特徴とする請求項９に記載の接続設定方法。
【発明の詳細な説明】
【技術分野】
【０００１】
本発明は、無線ＬＡＮによる接続の設定が容易な接続設定システム、通信装置、中継装置及び接続設定方法に関する。
【背景技術】
【０００２】
無線ＬＡＮ（Local Area Network）では、有線ＬＡＮに接続されたアクセスポイントと、アクセスポイントに対するクライアントとなる、ＰＣ、ＡＶ機器等の種々の通信装置との間で無線通信が行われる。クライアントは、アクセスポイントを介してインターネット等、他のネットワークに接続することが可能となる。クライアントとアクセスポイントとの間の接続を確立する場合、ＳＳＩＤ（Service Set Identifier）と呼ばれる文字列をアクセスポイント毎に設定する必要がある。ＳＳＩＤは、アクセスポイントにより構成される無線ネットワークを識別する為の識別子である。アクセスポイントに接続しようとするクライアントは、そのアクセスポイントに設定されたＳＳＩＤを取得して設定する必要がある。
【０００３】
無線ＬＡＮでは、無線信号が届く範囲内であれば誰でも無線信号を受信することができるため、一般に、ネットワークにセキュリティ機能を持たせ、アクセスポイントの不正利用を防いでいる。セキュリティ機能は、例えば、クライアントが固有に持つＭＡＣアドレスをアクセスポイントに事前に登録しておき、登録されたクライアントのみをアクセスポイントと接続可能にするＭＡＣアドレスフィルタリングや、共通の暗号化鍵でクライアントとアクセスポイントとの間のデータを暗号化するＷＥＰ（Wired Equivalent Privacy）等が用いられる。
【０００４】
ネットワーク接続に必要なパラメータの設定を自動的に行う技術として、無線ＬＡＮに関する業界団体Ｗｉ−Ｆｉアライアンスにより定められた規格であるＷＰＳ（Wi-Fi Protected Setup）が知られている（非特許文献1参照）。ＷＰＳ規格には、プッシュボタン方式（ＰＢＣ：Push Button Configuration）とＰＩＮ（Personal Identification Number）コード方式の２通りがある。
【０００５】
プッシュボタン方式では、アクセスポイント及びクライアントにそれぞれ設けられた専用ボタンを、所定の時間内に操作することで、アクセスポイント及びクライアントは接続設定の為の通信状態になり、ＳＳＩＤと暗号化鍵の接続及びセキュリティ設定が行われる。ボタン操作から設定完了までの通信状態は、セキュリティが脆弱な為、通信電波の強度を弱め、アクセスポイントとクライアントとの距離を接近させて行う場合が多い。プッシュボタン方式はキーボードのような入力装置を装備しないポータブルな機器に向いた方式である。
【０００６】
一方、ＰＩＮコード方式では、クライアントに予め割り振られた、或いはクライアントにより生成された８桁の数字であるＰＩＮコードを、既にネットワークに参加している機器からレジストラに登録する。ここで、レジストラとはクライアントの登録等を担う機器或いは機能を呼び、ＷＰＳの仕様上レジストラ機能はアクセスポイントに必須とされているが、ネットワークに接続されている他の機器がレジストラになっても良い。こうしてレジストラに登録されたＰＩＮコードに基づいて、アクセスポイントと入力されたＰＩＮコードを持つクライアントとの間で接続設定の為の通信状態となり、ＳＳＩＤと暗号化鍵の接続及びセキュリティ設定が行われ、アクセスポイントとクライアントの接続が成立される。特許文献１では、有線ＬＡＮを経由して、アクセスポイントとクライアントとの間でＰＩＮコードを自動的に受け渡す仕組みが提案されている。
【先行技術文献】
【特許文献】
【０００７】
【特許文献１】特開２００９−８９２３０号公報
【非特許文献】
【０００８】
【非特許文献１】“Introducing Wi-Fi Protected Setup” 、［online］、平成１９年１月３日、Ｗｉ−Ｆｉアライアンス、［平成２３年３月１日検索］、インターネット＜URL：http://www.wi-fi.org/files/kc_80_20070104_Introducing_Wi-Fi_Protected_Setup.pdf＞
【発明の概要】
【発明が解決しようとする課題】
【０００９】
しかしながら、非特許文献１に記載のプッシュボタン方式の場合、ＳＳＩＤ及び暗号化鍵を無線通信により自動的に送受信させる必要があるため、近接距離間で接続設定が行われる必要があり、無線ＬＡＮクライアントが既に設置されている場合、接続設定の為に移動させなければならず、質量の重いクライアントの場合、更にユーザにとって負担となる。
【００１０】
ＰＩＮコード方式では、各種パラメータを設定するために、ユーザの入力操作が必要なため、タイプミスや各種パラメータの取り違い等が生じる可能性がある。これに対し、特許文献１ではユーザの入力の負担低減するものの、有線ＬＡＮケーブルの敷設が必要になる。
【００１１】
本発明は、上記問題を鑑み、無線ＬＡＮの接続設定が容易な接続設定システム、通信装置、中継装置及び接続設定方法を提供することを目的とする。
【課題を解決するための手段】
【００１２】
上記目的を達成するために、本発明の第１の態様は、無線通信により、中継装置（１）とデータを送受信する第１無線通信部（２１）、前記中継装置（１）により構成される無線ネットワークに接続される装置を識別するための文字列である装置識別情報を含む予備ネットワーク識別子（２２１）を予め記憶する第１記憶部（２２）、前記予備ネットワーク識別子（２２１）を含む接続要求信号を、前記第１無線通信部（２１）に送信させる接続要求送信処理部（２０１）を備える通信装置（２）と、無線通信により、前記通信装置とデータを送受信する第２無線通信部（１１）、前記無線ネットワークに接続される装置が有する、前記無線ネットワークを識別するネットワーク識別子の一覧である通信装置リスト（１２２）を記憶する第２記憶部（１２）、ユーザ操作を受け付ける操作部（１３）、前記第２無線通信部が、前記通信装置から前記接続要求信号を受信した場合、前記接続要求信号に含まれる前記予備ネットワーク識別子と一致する前記ネットワーク識別子が、前記通信装置リストに存在するか否かを判定する識別子判定処理部（１０２）、前記識別子判定処理部（１０２）が、前記接続要求信号に含まれる前記予備ネットワーク識別（２２１）と一致する前記ネットワーク識別子が前記通信装置リスト（１２２）に存在しないと判定する場合、前記受信した接続要求信号に含まれる前記予備ネットワーク識別子（２２１）を加えた前記通信装置リスト（１２２）を、表示装置（３）に表示させるリスト処理部（１０３）、前記表示装置（３）に表示された前記通信装置リスト（１２２）から、前記操作部が受け付けたユーザ操作に基づいて選択された前記予備ネットワーク識別子（２２１）を含む接続許可信号を、前記通信装置（２）に送信する接続許可送信処理部（１０４）を備える中継装置（１）とを備える設定システムであることを要旨とする。
【００１３】
また、本発明の第１の態様に係る接続設定システムは、前記通信装置（２）は、合図信号を出力するインジゲータ部（２４）、前記第１無線通信部（２１）が、前記予備ネットワーク識別子（２２１）を含む接続許可信号を、前記中継装置（１）から受信した場合、前記インジゲータ部（２４）に合図信号を出力させる識別子確認処理部（２０２）、前記第１無線通信部（２１）が、前記ネットワーク識別子（１２１）を前記中継装置（１）から受信した場合、前記第１記憶部（２２）に記憶される前記予備ネットワーク識別子（２２１）を、前記ネットワーク識別子（１２１）に書き換える接続情報処理部（２０３）を更に備え、前記中継装置（１）は、前記インジゲータ部（２４）の合図信号が確認された旨のユーザ操作を前記操作部（１３）が受け付けた場合、前記ネットワーク識別子を前記通信装置（２）に送信する接続情報送信処理部（２０３）を更に備えることができる。
【００１４】
また、本発明の第１の態様に係る接続設定システムは、前記装置識別情報は、前記通信装置のメーカ名、メーカコード、製品名、型番の内、少なくとも１つを含むことができる。
【００１５】
本発明の第２の態様は、無線通信により、中継装置（１）とデータを送受信する無線通信部（２１）と、前記中継装置（１）により構成される無線ネットワークに接続される装置を識別するための文字列である装置識別情報を含む予備ネットワーク識別子（２２１）を予め記憶する記憶部（２２）と、前記予備ネットワーク識別子（２２１）を含む接続要求信号を、前記無線通信部（２１）に送信させる接続要求送信処理部（２０１）と、を備える通信装置（２）であることを要旨とする。
【００１６】
また、本発明の第２の態様に係る通信装置においては、合図信号を出力するインジゲータ部（２４）と、前記無線通信部（２１）が、前記予備ネットワーク識別子（２２１）を含む接続許可信号を、前記中継装置（１）から受信した場合、前記インジゲータ部（２４）を合図信号を出力させる識別子確認処理部（２０２と、前記無線通信部（２１）が、前記ネットワーク識別子（１２１）を前記中継装置（１）から受信した場合、前記記憶部（２２）に記憶される前記予備ネットワーク識別子（２２１）を、前記ネットワーク識別子（１２１）に書き換える接続情報処理部とを更に備えることができる。
【００１７】
また、本発明の第２の態様に係る通信装置においては、前記装置識別情報は、前記通信装置のメーカ名、メーカコード、製品名、型番の内、少なくとも１つを含むことができる
本発明の第３の態様は、無線通信により、通信装置（２）とデータを送受信する無線通信部（１１）、前記無線ネットワークに接続される装置が有する、前記無線ネットワークを識別するネットワーク識別子の一覧である通信装置リスト（１２２）を記憶する記憶部（１２）、ユーザ操作を受け付ける操作部（１３）、前記無線通信部（１１）が、前記通信装置（２）から接続要求信号を受信した場合、前記接続要求信号に含まれる前記予備ネットワーク識別子（２２１）と一致する前記ネットワーク識別子が、前記通信装置リスト（１２２）に存在するか否かを判定する識別子判定処理部（１０２）、前記識別子判定処理部（１０２）が、前記接続要求信号に含まれる前記予備ネットワーク識別（２２１）と一致する前記ネットワーク識別子が前記通信装置リスト（１２２）にないと判定する場合、前記受信した接続要求信号に含まれる前記予備ネットワーク識別子（２２１）を加えた前記通信装置リスト（１２２）を、表示装置（３）に表示させるリスト処理部（１０３）、前記表示装置（３）に表示された前記通信装置リストから、前記操作部（１３）が受け付けたユーザ操作に基づいて選択された前記予備ネットワーク識別子（２２１）を含む接続許可信号を、前記通信装置（２）に送信する接続許可送信処理部（１０４）とを備える中継装置であることを要旨とする。
【００１８】
また、本発明の第３の態様に係る中継装置においては、前記インジゲータ部（２４）の合図信号が確認された旨のユーザ操作を前記操作部（１３）が受け付けた、前記ネットワーク識別子を前記通信装置（２）に送信する接続情報送信処理部（１０５）を更に備えることができる。
【００１９】
本発明の第４の態様は、通信装置（２）が、中継装置により構成される無線ネットワークに接続される装置を識別するための文字列である装置識別情報を含む予備ネットワーク識別子（２２１）を予め記憶するステップと、前記予備ネットワーク識別子を含む接続要求信号を送信するステップと、中継装置が、前記無線ネットワークに接続される装置が有する、前記無線ネットワークを識別するネットワーク識別子の一覧である通信装置リスト（１２２）を記憶するステップと、前記通信装置（２）から前記接続要求信号を受信した場合、前記接続要求信号に含まれる前記予備ネットワーク識別子（２２１）と一致する前記ネットワーク識別子が、前記通信装置リストに存在するか否かを判定するステップと、前記接続要求信号に含まれる前記予備ネットワーク識別（２２１）と一致する前記ネットワーク識別子が前記通信装置リスト（１２２）に存在しないと判定する場合、前記受信した接続要求信号に含まれる前記予備ネットワーク識別子（２２１）を加えた前記通信装置リスト（１２２）を、表示装置（３）に表示させるステップと、前記表示装置（３）に表示された前記通信装置リスト（１２２）から、ユーザ操作によって選択された前記予備ネットワーク識別子（２２１）を含む接続許可信号を、前記通信装置に送信するステップとを含むことを特徴とする接続設定方法。
【００２０】
また、本発明の第４の態様に係る接続方法においては、前記通信装置（２）が、前記予備ネットワーク識別子（２２１）を含む接続許可信号を、前記中継装置（１）から受信した場合、インジゲータ部（２４）に合図信号を出力させるステップと、前記ネットワーク識別子（２）を前記中継装置（１）から受信した場合、前記予め記憶された前記予備ネットワーク識別子（２２１）を、前記ネットワーク識別子（１２１）に書き換えるステップと、前記中継装置（１）が、前記インジゲータ部（２４）の合図信号が確認された旨のユーザ操作を受け付けた場合、前記ネットワーク識別子を前記通信装置（２）に送信するステップとを更に含むことができる。
【発明の効果】
【００２１】
本発明によれば、無線ＬＡＮの接続設定が容易な接続設定システム、通信装置、中継装置及び接続設定方法を提供できる。
【図面の簡単な説明】
【００２２】
【図１】本発明の実施の形態に係る接続設定システムの基本的な構成を説明するブロック図である。
【図２】本発明の実施の形態に係る接続設定システムの基本的な構成を説明する模式的な図である。
【図３】本発明の実施の形態に係る接続設定方法を説明するフローチャートである。
【図４】ＩＥＥＥ８０２．１１のデータフレームを説明する図である。
【図５】本発明の実施の形態に係る接続設定システムに用いる通信装置リストを図示した一例である。
【発明を実施するための形態】
【００２３】
次に、図面を参照して、本発明の実施の形態を説明する。以下の図面の記載において、同一又は類似の部分には同一又は類似の符号を付している。但し、以下に示す実施の形態は、本発明の技術的思想を具体化するための装置や方法、及びこれらの装置に用いられるプログラムを例示するものであって、本発明の技術的思想は、下記の実施の形態に例示した装置や方法、及びこれらの装置に用いられるプログラムに特定するものでない。本発明の技術的思想は、特許請求の範囲に記載された技術的範囲内において、種々の変更を加えることができる。
【００２４】
（接続設定システム）
本発明の実施の形態に係る接続設定システムは、図１及び図２に示すように、無線ＬＡＮにおけるアクセスポイントとなる中継装置１と、中継装置１と無線通信をする中継装置１に対するクライアントとなる通信装置２と、中継装置１に対するクライアントであると共に、中継装置１が出力するＧＵＩ（Graphic User Interface）画面を表示する表示装置３とを備える。中継装置１に対するクライアントは、それぞれ中継装置１に接続される有線ＬＡＮ４を介して、インターネット等の他のネットワークに接続することができる。
【００２５】
中継装置１は、中継装置１が行う種々の演算を処理する処理部１０と、無線通信によりデータを送受信する無線通信部１１と、種々のデータやプログラムを記憶する記憶部１２と、ユーザの操作であるユーザ操作を受け付け、ユーザ操作に応じた所定の信号を処理部１０に出力する操作部１３と、有線通信によりデータを送受信する有線通信部１４とを備える。
【００２６】
処理部１０は、スキャン処理部１０１と、識別子判定処理部１０２と、リスト処理部１０３と、接続許可送信処理部１０４と、接続情報送信処理部１０５とを論理構造として有する。図１に示す処理部１０を構成する各部は、同一のハードウェアである演算処理装置により構成されても良く、別個のハードウェアにより構成されても良い。
【００２７】
記憶部１２は、中継装置１を識別することで、中継装置１の無線通信部１１により構成される無線ネットワークを識別するネットワーク識別子１２１と、中継装置１の無線通信部１１に通信可能に接続される装置がそれぞれ有するネットワーク識別子の一覧である通信装置リスト１２２とを記憶する。ネットワーク識別子１２１は、例えば、ＩＥＥＥ８０２．１１シリーズにおけるアクセスポイントの識別子であるＳＳＩＤである。アクセスポイントである中継装置１の処理部１０は、中継装置１に接続するクライアントとなる各装置が、ネットワーク識別子１２１と一致するネットワーク識別子が設定されていない場合、中継装置１の利用を許可せず、中継装置１を介して他のネットワークに接続させない。中継装置１は、例えば、ネットワーク識別子１２１として「０１２３４５ＧＲＯＵＰ」が設定されている。
【００２８】
通信装置２は、通信装置２が行う種々の演算を処理する処理部２０と、無線通信により、データを送受信する無線通信部２１と、種々のデータやプログラムを記憶する記憶部２２と、ユーザの操作に応じた所定の信号を処理部２０に出力する操作部２３と、ユーザに対して合図をするインジゲータ部２４とを備える。通信装置２は、例えば、ディスクレコーダ、ディスクプレーヤ、ゲーム機、オーディオ機器、テレビ等、通信機能を有する種々の装置とすることができる。
【００２９】
処理部２０は、接続要求送信処理部２０１と、識別子確認処理部２０２と、接続情報処理部２０３とを論理構造として有する。図１に示す処理部２０を構成する各部は、同一のハードウェアである演算処理装置により構成されても良く、別個のハードウェアにより構成されても良い。
【００３０】
記憶部２２は、ユーザが、中継装置１の無線通信部部１１により構成される無線ネットワークに接続される装置を識別するための情報である装置識別情報を含む予備ネットワーク識別子２２１を予め記憶する。装置識別情報は、例えば、通信装置２を製造したメーカ名、メーカコード、製品名、型番等、ユーザが目視により通信装置２を識別しやすい文字列を含む。通信装置２の記憶部２２は、例えば、予備ネットワーク識別子２２１として「ＸＸＸ＿ＳＴ２１０」が設定されている。
【００３１】
インジゲータ部２４は、例えば、点灯、ビープ音等により、ユーザに合図信号を出力する。インジゲータ部２４は、通信装置２の電源のオン、オフや、無線ＬＡＮ接続の動作状態に基づいた処理部２０の処理により、点滅方法、表示色、音色等を変更できる。
【００３２】
表示装置３は、表示装置３が行う種々の演算を処理する処理部３０と、無線通信によりデータを送受信する無線通信部３１と、中継装置１の記憶部１２に記憶されるネットワーク識別子１２１と同一のネットワーク識別子３２１を記憶する記憶部３２とを備える。表示装置３は、例えば、テレビ、ＬＣＤ（Liquid Crystal Display）、プロジェクタ等からなる。
【００３３】
表示装置３は、例えば、表示装置３のリモートコントローラである外部操作部３３により操作される。外部操作部３３は、表示装置３と中継装置１とが無線通信することにより、操作部１３を介して中継装置１の操作をすることができる。
【００３４】
（接続設定方法）
図３のフローチャートを用いて、本発明の実施の形態に係る接続設定システムにおける接続設定方法の一例を説明する。以下の説明においては、無線ＬＡＮ接続により、映像や音声の送受信をすることができるハードディスクレコーダを、通信装置２として、新たに中継装置１のクライアントに設定する場合を想定している。また、表示装置３はテレビであり、既に中継装置１のネットワーク識別子１２１（ＳＳＩＤ）と同一のネットワーク識別子３２１（ＳＳＩＤ）が設定されており、中継装置１と通信可能な状態にある。表示装置３は、中継装置１におけるレジストラ機能等の各種設定のモニタリングや、外部操作部３３を使用して設定に必要な情報の入力や選択等の操作を行うことが可能とするＧＵＩ画面を表示できる。
【００３５】
先ず、ステップＳ１において、ユーザの入力操作により操作部２３が、設定モードへの移行を指示する旨の信号を処理部２０に出力すると、通信装置２は、設定モードに移行する。操作部２３は、例えば電源ボタンであり、２〜３秒間押下することにより、通常の短押しの電源オン、オフと異なる動作として、通信装置２を設定モードに移行させることができる。また、通信装置２がクライアントとして未設定場合には、電源をオンにすると必ず設定モードとして起動する、或いは設定モードとして起動を継続するかを、再度操作部２３の操作によって設定モードとするか否かを決定するようにしても良い。
【００３６】
通信装置２が設定モードに移行すると、ステップＳ２において、接続要求送信処理部２０１は、記憶部２２から予備ネットワーク識別子２２１を読み出し、予備ネットワーク識別子２２１を含む接続要求信号のデータフレームを生成し、無線通信部２１を介して送信する。接続要求送信処理部２０１は、例えば図４に示すように、ＩＥＥＥ８０２．１１のデータフレームの内、予備ネットワーク識別子２２１である「ＸＸＸ＿ＳＴ２１０」を、ペイロードデータとして記述することにより接続要求信号を生成する。
【００３７】
ステップＳ３において、ユーザが外部操作部３３を操作して表示装置３に表示されたＧＵＩ画面から設定モードを選択することにより、操作部１３が、設定モードに移行を指示する旨の信号を処理部１０に出力する。中継装置１は、処理部１０が設定モードに移行を指示する旨の信号を入力すると、設定モードに移行する。
【００３８】
中継装置１が設定モードに移行すると、ステップＳ４において、スキャン処理部１０１は、無線通信部１１に、チャンネル（周波数）を変更させながらパッシブスキャンを行わせ、周辺に存在する無線ＬＡＮクライアントである通信装置２から送信される接続要求信号を受信する。
【００３９】
ステップＳ５において、中継装置１の識別子判定処理部１０２は、無線通信部１１が受信した接続要求信号から、接続要求信号にＳＳＩＤとして記述される予備ネットワーク識別子２２１を検出する。
【００４０】
ステップＳ６において、識別子判定処理部１０２は、検出した予備ネットワーク識別子２２１が、記憶部１２に記憶されるＳＳＩＤであるネットワーク識別子１２１と一致するか否かを判定する。予備ネットワーク識別子２２１がネットワーク識別子１２１と一致すると判定する場合、中継装置１の処理部１０は、通信装置２を、既に中継装置１のクライアントとして設定済であるとし、接続設定処理を終了する。
【００４１】
予備ネットワーク識別子２２１がネットワーク識別子１２１と一致しないと判定する場合、ステップＳ７において、リスト処理部１０３は、記憶部１２に記憶される通信装置リスト１２２に、ステップＳ４において受信した接続要求信号に含まれる予備ネットワーク識別子２２１を追加する。次いで、リスト処理部１０３は、図５に示すように、予備ネットワーク識別子２２１が加えられた通信装置リストを含むＧＵＩ画面を、表示装置３に表示させる。
【００４２】
通信装置リストは、図５に示すように、中継装置１の無線通信部２１に接続される中継装置１のクライアントのリストである。通信装置リストには、各クライアントのネットワーク識別子（ＳＳＩＤ）、暗号化方式、ＭＡＣアドレス、電波強度、使用チャンネル等の情報が含まれる。例えば、通信装置２の装置識別情報である通信装置の製品名「ＸＸＸ」、通信装置２の型番「ＳＴ２１０」とする。通信装置リストの番号「０００２」のネットワーク識別子（ＳＳＩＤ）は、「ＸＸＸ＿ＳＴ２１０」となっており、通信装置２の装置識別情報が含まれる。よってユーザは、番号「０００２」のクライアントのネットワーク識別子（ＳＳＩＤ）「ＸＸＸ＿ＳＴ２１０」が、通信装置２の予備ネットワーク識別子２２１であると判断することができる。
【００４３】
通信装置リストの番号「０００１」は、例えば、既に中継装置１のクライアントとして設定されている表示装置３を示している。通信装置リストの番号「０００１」のネットワーク識別子（ＳＳＩＤ）は、「０１２３４５ＧＲＯＵＰ」となっており、表示装置３に設定されているネットワーク識別子３２１を示している。表示装置３は、中継装置１のネットワーク識別子１２１と同一のネットワーク識別子３２１が設定されることにより、中継装置１に、中継装置１のクライアントとして接続可能となっている。
【００４４】
ステップＳ８において、リスト処理部１０３は、表示装置３に表示された通信装置リストから、通信装置２の予備ネットワーク識別子２２１を選択させる。ユーザは、表示装置３に表示された通信装置リストから、接続の設定をしようとする通信装置２の予備ネットワーク識別子２２１であるネットワーク識別子を選択し、ユーザの外部操作部３３への入力操作により、操作部１３を介して指定する。操作部１３は、ユーザの外部操作部３３への操作入力により、選択されたクライアントのネットワーク識別子を指定する旨の信号を処理部１０の接続許可送信処理部１０４に出力する。
【００４５】
ステップＳ９において、接続許可送信処理部１０４は、ステップＳ８において指定された装置のネットワーク識別子を指定する旨の信号を入力すると、指定されたネットワーク識別子を含む接続許可信号を生成する。接続許可送信処理部１０４は、例えば図４に示すように、ＩＥＥＥ８０２．１１のデータフレームの内、ステップＳ８において指定されたネットワーク識別子を、ペイロードデータとして記述することにより接続許可信号を生成する。接続許可送信処理部１０４は、ステップＳ８において指定された装置の情報に基づいて、送信に用いるチャンネルを変更し、通信装置２の所在を確認する為に、無線通信部１１を介して、接続許可信号のデータフレームを通信装置２に送信する。
【００４６】
ステップＳ１０において、通信装置２の無線通信部２１が、中継装置１から送信された接続許可信号を受信すると、ステップＳ１１において、識別子確認処理部２０２は、無線通信部２１が受信した接続許可信号からネットワーク識別子（ＳＳＩＤ）を検出する。
【００４７】
ステップＳ１２において、識別子確認処理部２０２は、接続許可信号から検出したネットワーク識別子と、記憶部２２が記憶する予備ネットワーク識別子２２１とが一致するか否かを判定する。ステップＳ１１において検出されたネットワーク識別子（ＳＳＩＤ）が、記憶部２２に記憶される予備ネットワーク識別子２２１（ＳＳＩＤ）と一致しないと判定する場合、ステップＳ８において指定されたネットワーク識別子が通信装置２のものでないとして、接続設定処理を終了する。
【００４８】
ステップＳ１１において検出されたネットワーク識別子が、記憶部２２に記憶される予備ネットワーク識別子２２１と一致すると判定する場合、ステップＳ８において指定されたクライアントが通信装置２であるとして、ステップＳ１３において、識別子確認処理部２０２は、所定の制御信号をインジゲータ部２４に送信することにより、インジゲータ部２４を、ステップＳ８において指定されたクライアントが接続設定対象となる通信装置２であることを示す点灯パターンに点灯させる。
【００４９】
ステップＳ１４において、ユーザは、インジゲータ部２４の合図信号である点灯を目視で確認した後、外部操作部３３への入力操作により、表示装置３に表示されているＧＵＩ画面の、通信装置２に対する接続設定開始の操作を、操作部１３を介して選択し、実行する。これにより、操作部１３は、インジゲータ部２４の点灯が確認された旨の信号を接続情報処理部２０３に出力する。
【００５０】
ステップＳ１５において、接続情報送信処理部１０５は、インジゲータ部２４の点灯を確認する旨の信号を入力すると、記憶部１２に記憶されるネットワーク識別子１２１「０１２３４５ＧＲＯＵＰ」と、通信装置２に割り当てるチャンネルとを接続情報として、無線通信部１１を介して通信装置２に送信する。
【００５１】
ステップＳ１６において、通信装置２の無線通信部２１が、中継装置１から送信された接続情報を受信すると、接続情報処理部２０３は、記憶部２２に記憶される予備ネットワーク識別子２２１「ＸＸＸ＿ＳＴ２１０」を、中継装置１から送信された接続情報に含まれるネットワーク識別子１２１「０１２３４５ＧＲＯＵＰ」に書き換え、無線通信部２１が使用しているチャンネルを、中継装置１から送信された接続情報に含まれるチャンネルに変更する。
【００５２】
ステップＳ１７及びステップＳ１８において、中継装置１と通信装置２との間で接続の為の認証及び暗号化鍵交換のセキュリティ設定が実行されることにより、接続設定が完了する。認証・セキュリティ設定の技術は、例えば、Ｗｉ−Ｆｉアライアンスで制定されたＷＰＡ（Wi-Fi Protected Access）が挙げられ、認証を事前秘密鍵で行うＷＰＡ−ＰＳＫ（Pre-Shared key）方式やＲＡＤＩＵＳサーバを使用するＷＰＡ１Ｘ方式が、ステップＳ１７、ステップＳ１８における設定として採用可能である。ネットワークの安全性が確立出来るのであれば、ＷＰＡ以外の認証・セキュリティ技術を使用しても構わない。
【００５３】
本発明の実施の形態に係る接続設定システムによれば、ユーザが通信装置２を識別するための装置識別情報を含む予備ネットワーク識別子２２１を、ＳＳＩＤとして通信装置２が中継装置１に送信し、中継装置１側で通信装置２を特定する為、主として、アクセスポイントである中継装置１側での操作のみで、簡単にクライアントとなる通信装置２の接続設定をすることが可能である。更に、ユーザは、接続設定対象となる通信装置２の、中継装置１との通信の有無を、通信装置２に備えられたインジケータ部２４の点滅や音により確認が出来るので、容易に接続先の通信装置２を特定でき、成りすまし等の抑制に寄与できる。
【００５４】
（その他の実施の形態）
上記のように、本発明の実施の形態によって記載したが、この開示の一部をなす論述及び図面は本発明を限定するものであると理解すべきではない。この開示から当業者には様々な代替実施の形態、実施例及び運用技術が明らかとなろう。
【００５５】
例えば、図３のフローチャートに示すステップＳ１３及びステップＳ１４において、通信装置２のインジゲータ部２４の点灯期間を予め設定しておき、中継装置１において、ステップＳ１４の接続設定開始の操作を、インジゲータ部２４の点灯期間のみに有効とすることで、接続設定の安全性を向上できる。この場合、ステップＳ１４において、中継装置１から接続設定開始の操作が実行され、中継装置１からの接続情報を通信装置２が受信するまでの時間がインジゲータ部２４の点灯期間内であれば、接続設定を継続するものとし、点灯期間外の場合、通信装置２から接続設定中止のデータフレームを中継装置１に送信し、接続設定を終了させるようにすれば良い。
【００５６】
また、中継装置１は、無線ＬＡＮクライアントとしての動作に一時的に変更し、無線通信部１１から無線ＬＡＮクライアントと同様に接続要求信号を送信できるクライアント擬似モードに設定可能とすることで、周囲に存在する他のアクセスポイントのＳＳＩＤを検出するようにしても良い。先ず、過去に検出した周辺のアクセスポイントのＳＳＩＤをＳＳＩＤリストとして記憶部１２に記録しておき、図３に示すステップＳ６において、処理部１０は中継装置１自身のＳＳＩＤ「０１２３４５ＧＲＯＵＰ」及び記憶部１２のアクセスポイントのＳＳＩＤリストと、ステップＳ５において検出されたクライアントのＳＳＩＤとの比較を行う。この場合、中継装置１による無線ネットワークに既に接続設定されている無線ＬＡＮクライアントのＳＳＩＤには中継装置１のＳＳＩＤ「０１２３４５ＧＲＯＵＰ」が設定されており、周辺の他のアクセスポイントに既に接続設定されている場合には中継装置１の記憶部１２に記録されているアクセスポイントのＳＳＩＤリストに該当するＳＳＩＤが記載されていることになる。ステップＳ５において検出されたＳＳＩＤと中継装置１のＳＳＩＤ及びアクセスポイントのＳＳＩＤリストとを比較して、ステップＳ５において検出されたＳＳＩＤがアクセスポイントのＳＳＩＤリストのＳＳＩＤと異なると判定された場合には、新規に接続設定を要求しているクライアントと判断される。この場合、通信装置２のＳＳＩＤには予め記録されたＳＳＩＤ「ＸＸＸ＿ＳＴ２１０」が記載されているので、通信装置２は未設定のクライアントとされる。ステップＳ５において検出されたＳＳＩＤがアクセスポイントのＳＳＩＤリストのＳＳＩＤに該当すると判定された場合には、新規に接続設定を要求しているクライアントでないと判断され、終了する。尚、処理部１０は、検出されたＳＳＩＤと、記憶部１２に記録されているＳＳＩＤリストとを比較して、異なるものがある場合は、検出されたＳＳＩＤを記憶部１２のＳＳＩＤリストに追加し、ＳＳＩＤリストを更新することができる。以上のように、検出されたＳＳＩＤと、他の周囲のアクセスポイントのＳＳＩＤとの比較を実施することで、より確実な無線接続設定が可能となる。
【００５７】
上記の他、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００５８】
１…中継装置
２…通信装置
３…表示装置
４…有線ＬＡＮ
１０，２０，３０…処理部
１１，２１，３１…無線通信部
１２，２２，３２…記憶部
１３，２３…操作部
１４…有線通信部
２４…インジゲータ部
３３…外部操作部
１０１…スキャン処理部
１０２…識別子判定処理部
１０３…リスト処理部
１０４…接続許可送信処理部
１０５…接続情報送信処理部
１２１，３２１…ネットワーク識別子
１２２…通信装置リスト
２０１…接続要求送信処理部
２０２…識別子確認処理部
２０３…接続情報処理部
２２１…予備ネットワーク識別子
【図１】
2012199653.tif 000003
【図２】
2012199653.tif 000004
【図３】
2012199653.tif 000005
【図４】
2012199653.tif 000006
【図５】
2012199653.tif 000007